(57)【要約】【課題】スケジュールに近い状態でコンテンツを再生することができる。【解決手段】スケジュール記憶部２２はサーバ４０から受信したスケジュール情報を記憶する。コンテンツホルダ５０およびハードディスク２４はコンテンツを記憶する。コンテンツ確認部２６はスケジュール情報及びタイマ２３の時刻に基づいて予定コンテンツが存在場所に存在するか否かを確認する。メール作成部２７は予定コンテンツが存在場所に存在しないときにスケジュール情報に含まれる連絡先に宛てた電子メールで報知、または端末２０の利用者に報知、もしくは表示部３０による表示で報知する。再生制御部２９はスケジュール情報及び時刻に基づいて再生部２８によるコンテンツの再生を制御する。コンテンツは再生予定のものと、代替コンテンツを用意し、コンテンツが存在しないときに代替コンテンツを再生する。【選択図】  図１
2004334726.tif 000002
【特許請求の範囲】
【請求項１】
コンテンツの存在場所及び再生時刻の情報に基づいて前記コンテンツを再生するコンテンツ再生手段と、
前記コンテンツが前記存在場所に存在するか否かを前記コンテンツの前記存在場所の情報に基づいて前記コンテンツの再生開始時刻前に検出する存在検出手段と、
前記コンテンツが前記存在場所に存在しないことが前記存在検出手段によって検出されたときに前記コンテンツが前記存在場所に存在しないことを報知する報知手段と、
を備えたことを特徴とするコンテンツ再生装置。
【請求項２】
前記報知手段は、前記コンテンツが前記存在場所に存在しないことを外部の装置に報知することを特徴とする請求項１に記載のコンテンツ再生装置。
【請求項３】
コンテンツの存在場所及び再生時刻の情報に基づいて前記コンテンツを再生するコンテンツ再生手段と、
前記コンテンツが前記存在場所に存在するか否かを前記コンテンツの前記存在場所の情報に基づいて前記コンテンツの再生開始時刻前に検出する存在検出手段とを備え、
前記コンテンツ再生手段は、前記コンテンツが前記存在場所に存在しないことが前記存在検出手段によって検出されたときに、前記コンテンツの代わりである代替コンテンツの存在場所の情報に基づいて前記コンテンツの再生時間帯に前記代替コンテンツを再生することを特徴とするコンテンツ再生装置。
【請求項４】
コンテンツの存在場所及び再生時刻の情報に基づいて前記コンテンツを再生するコンテンツ再生手段と、
前記コンテンツが前記存在場所に存在するか否かを前記コンテンツの前記存在場所の情報に基づいて前記コンテンツの再生時間帯に検出する存在検出手段とを備え、
前記コンテンツ再生手段は、前記コンテンツが前記存在場所に存在することが前記存在検出手段によって検出されたときに、前記コンテンツの前記存在場所の情報に基づいて前記コンテンツの前記再生時間帯に前記コンテンツを再生することを特徴とするコンテンツ再生装置。
【請求項５】
コンテンツの存在場所及び再生時刻の情報に基づいて前記コンテンツを再生するコンテンツ再生手段と、
前記コンテンツが前記存在場所に存在するか否かを前記コンテンツの前記存在場所の情報に基づいて前記コンテンツの再生時間帯に検出する存在検出手段と、
前記コンテンツを再生するか否かを利用者に選択させる再生選択手段とを備え、
前記コンテンツ再生手段は、前記コンテンツが前記存在場所に存在することが前記存在検出手段によって検出され、前記コンテンツを再生することを利用者が前記再生選択手段によって選択したときに、前記コンテンツの前記存在場所の情報に基づいて前記コンテンツの前記再生時間帯に前記コンテンツを再生することを特徴とするコンテンツ再生装置。
【請求項６】
コンテンツの存在場所及び再生時刻の情報に基づいて前記コンテンツを再生するコンテンツ再生過程と、
前記コンテンツが前記存在場所に存在するか否かを前記コンテンツの前記存在場所の情報に基づいて前記コンテンツの再生開始時刻前に検出する存在検出過程と、
前記コンテンツが前記存在場所に存在しないことが前記存在検出過程によって検出されたときに前記コンテンツが前記存在場所に存在しないことを報知する報知過程と、
を備えたことを特徴とするコンテンツ再生方法。
【請求項７】
前記報知過程は、前記コンテンツが前記存在場所に存在しないことを外部の装置に報知することを特徴とする請求項６に記載のコンテンツ再生方法。
【請求項８】
コンテンツの存在場所及び再生時刻の情報に基づいて前記コンテンツを再生するコンテンツ再生過程と、
前記コンテンツが前記存在場所に存在するか否かを前記コンテンツの前記存在場所の情報に基づいて前記コンテンツの再生開始時刻前に検出する存在検出過程とを備え、
前記コンテンツ再生過程は、前記コンテンツが前記存在場所に存在しないことが前記存在検出過程によって検出されたときに、前記コンテンツの代わりである代替コンテンツの存在場所の情報に基づいて前記コンテンツの再生時間帯に前記代替コンテンツを再生することを特徴とするコンテンツ再生方法。
【請求項９】
コンテンツの存在場所及び再生時刻の情報に基づいて前記コンテンツを再生するコンテンツ再生過程と、
前記コンテンツが前記存在場所に存在するか否かを前記コンテンツの前記存在場所の情報に基づいて前記コンテンツの再生時間帯に検出する存在検出過程とを備え、
前記コンテンツ再生過程は、前記コンテンツが前記存在場所に存在することが前記存在検出過程によって検出されたときに、前記コンテンツの前記存在場所の情報に基づいて前記コンテンツの前記再生時間帯に前記コンテンツを再生することを特徴とするコンテンツ再生方法。
【請求項１０】
コンテンツの存在場所及び再生時刻の情報に基づいて前記コンテンツを再生するコンテンツ再生過程と、
前記コンテンツが前記存在場所に存在するか否かを前記コンテンツの前記存在場所の情報に基づいて前記コンテンツの再生時間帯に検出する存在検出過程と、
前記コンテンツを再生するか否かを利用者に選択させる再生選択過程とを備え、
前記コンテンツ再生過程は、前記コンテンツが前記存在場所に存在することが前記存在検出過程によって検出され、前記コンテンツを再生することを利用者が前記再生選択過程によって選択したときに、前記コンテンツの前記存在場所の情報に基づいて前記コンテンツの前記再生時間帯に前記コンテンツを再生することを特徴とするコンテンツ再生方法。
【請求項１１】
請求項６〜１０のいずれか１項に記載のコンテンツ再生方法における処理手順をコンピュータで実行可能に構成したことを特徴とするプログラム。
【請求項１２】
請求項６〜１０のいずれか１項に記載のコンテンツ再生方法における処理手順をコンピュータに実行させるためのプログラムを、該コンピュータが読み取り可能な記録媒体に記録したことを特徴とする記録媒体。
【発明の詳細な説明】
【０００１】
【発明の属する技術分野】
本発明は、コンテンツの存在場所及び再生時刻の情報に基づいてコンテンツを再生するコンテンツ再生装置およびコンテンツ再生方法に関する。
【０００２】
【従来の技術】
従来、コンテンツの存在場所及び再生時刻の情報に基づいてコンテンツを再生するコンテンツ再生装置として、コンテンツの存在場所及び再生時刻の情報であるスケジュール情報に基づいてネットワークを介してコンテンツを受信し、受信したコンテンツをスケジュール情報に基づいて再生時刻に再生するコンテンツ再生装置が知られている（例えば、特許文献１参照。）
【０００３】
【特許文献１】
特開２００２−３４２１９５号公報
【０００４】
【発明が解決しようとする課題】
しかしながら、上述した従来のコンテンツ再生装置においては、コンテンツの存在場所にコンテンツが存在しない状態であるリンク切れ状態がコンテンツの再生時刻に発生したとき、コンテンツを再生することができないという問題があった。
【０００５】
そこで、本発明は、従来よりスケジュールに近い状態でコンテンツを再生することができるコンテンツ再生装置、コンテンツ再生方法、この方法のプログラムおよびこのプログラムを記録した記録媒体を提供することを目的とする。
【０００６】
【課題を解決するための手段】
（１）本発明のコンテンツ再生装置は、コンテンツの存在場所及び再生時刻の情報に基づいて前記コンテンツを再生するコンテンツ再生手段と、前記コンテンツが前記存在場所に存在するか否かを前記コンテンツの前記存在場所の情報に基づいて前記コンテンツの再生開始時刻前に検出する存在検出手段と、前記コンテンツが前記存在場所に存在しないことが前記存在検出手段によって検出されたときに前記コンテンツが前記存在場所に存在しないことを報知する報知手段とを備えた構成を特徴とする。
【０００７】
また、本発明のコンテンツ再生方法は、コンテンツの存在場所及び再生時刻の情報に基づいて前記コンテンツを再生するコンテンツ再生過程と、前記コンテンツが前記存在場所に存在するか否かを前記コンテンツの前記存在場所の情報に基づいて前記コンテンツの再生開始時刻前に検出する存在検出過程と、前記コンテンツが前記存在場所に存在しないことが前記存在検出過程によって検出されたときに前記コンテンツが前記存在場所に存在しないことを報知する報知過程とを備えたことを特徴とする。
【０００８】
上記の装置または方法により、コンテンツが存在場所に存在しないことをコンテンツの再生開始時刻前に報知するので、スケジュールの変更の機会や存在場所へのコンテンツの準備の機会をコンテンツの再生開始時刻前に提供することができ、従来よりスケジュールに近い状態でコンテンツを再生することができる。
【０００９】
（２）本発明のコンテンツ再生装置は、前記報知手段は、前記コンテンツが前記存在場所に存在しないことを外部の装置に報知する構成を特徴とする。
【００１０】
また、本発明のコンテンツ再生方法は、前記報知過程は、前記コンテンツが前記存在場所に存在しないことを外部の装置に報知することを特徴とする。
【００１１】
上記の装置または方法により、コンテンツが存在場所に存在しないことを外部の装置に報知するので、コンテンツを配信している装置やコンテンツの配信者に存在場所へのコンテンツの準備の機会を提供することができる。
【００１２】
（３）本発明のコンテンツ再生装置は、コンテンツの存在場所及び再生時刻の情報に基づいて前記コンテンツを再生するコンテンツ再生手段と、前記コンテンツが前記存在場所に存在するか否かを前記コンテンツの前記存在場所の情報に基．づいて前記コンテンツの再生開始時刻前に検出する存在検出手段とを備え、前記コンテンツ再生手段は、前記コンテンツが前記存在場所に存在しないことが前記存在検出手段によって検出されたときに、前記コンテンツの代わりである代替コンテンツの存在場所の情報に基づいて前記コンテンツの再生時間帯に前記代替コンテンツを再生する構成を特徴とする。
【００１３】
また、本発明のコンテンツ再生方法は、コンテンツの存在場所及び再生時刻の情報に基づいて前記コンテンツを再生するコンテンツ再生過程と、前記コンテンツが前記存在場所に存在するか否かを前記コンテンツの前記存在場所の情報に基づいて前記コンテンツの再生開始時刻前に検出する存在検出過程とを備え、前記コンテンツ再生過程は、前記コンテンツが前記存在場所に存在しないことが前記存在検出過程によって検出されたときに、前記コンテンツの代わりである代替コンテンツの存在場所の情報に基づいて前記コンテンツの再生時間帯に前記代替コンテンツを再生することを特徴とする。
【００１４】
上記の装置または方法により、コンテンツが存在場所に存在しないときにコンテンツの再生時間帯に限って代替コンテンツを再生するので、存在場所に存在していなかったコンテンツ以外のコンテンツをスケジュール通りに再生することができ、従来よりスケジュールに近い状態でコンテンツを再生することができる。
【００１５】
（４）本発明のコンテンツ再生装置は、コンテンツの存在場所及び再生時刻の情報に基づいて前記コンテンツを再生するコンテンツ再生手段と、前記コンテンツが前記存在場所に存在するか否かを前記コンテンツの前記存在場所の情報に基づいて前記コンテンツの再生時間帯に検出する存在検出手段とを備え、前記コンテンツ再生手段は、前記コンテンツが前記存在場所に存在することが前記存在検出手段によって検出されたときに、前記コンテンツの前記存在場所の情報に基づいて前記コンテンツの前記再生時間帯に前記コンテンツを再生する構成を特徴とする。
【００１６】
また、本発明のコンテンツ再生方法は、コンテンツの存在場所及び再生時刻の情報に基づいて前記コンテンツを再生するコンテンツ再生過程と、前記コンテンツが前記存在場所に存在するか否かを前記コンテンツの前記存在場所の情報に基づいて前記コンテンツの再生時間帯に検出する存在検出過程とを備え、前記コンテンツ再生過程は、前記コンテンツが前記存在場所に存在することが前記存在検出過程によって検出されたときに、前記コンテンツの前記存在場所の情報に基づいて前記コンテンツの前記再生時間帯に前記コンテンツを再生することを特徴とする。
【００１７】
上記の装置または方法により、存在場所に存在することが再生時間帯に検出されたコンテンツを再生するので、予定されていたコンテンツを再生することができ、従来よりスケジュールに近い状態でコンテンツを再生することができる。また、存在場所に存在することが再生時間帯に検出されたコンテンツを再生時間帯に限って再生するので、存在場所に存在していなかったコンテンツ以外のコンテンツをスケジュール通りに再生することができ、従来よりスケジュールに近い状態でコンテンツを再生することができる。
【００１８】
（５）本発明のコンテンツ再生装置は、コンテンツの存在場所及び再生時刻の情報に基づいて前記コンテンツを再生するコンテンツ再生手段と、前記コンテンツが前記存在場所に存在するか否かを前記コンテンツの前記存在場所の情報に基づいて前記コンテンツの再生時間帯に検出する存在検出手段と、前記コンテンツを再生するか否かを利用者に選択させる再生選択手段とを備え、前記コンテンツ再生手段は、前記コンテンツが前記存在場所に存在することが前記存在検出手段によって検出され、前記コンテンツを再生することを利用者が前記再生選択手段によって選択したときに、前記コンテンツの前記存在場所の情報に基づいて前記コンテンツの前記再生時間帯に前記コンテンツを再生する構成を特徴とする。
【００１９】
また、本発明のコンテンツ再生方法は、コンテンツの存在場所及び再生時刻の情報に基づいて前記コンテンツを再生するコンテンツ再生過程と、前記コンテンツが前記存在場所に存在するか否かを前記コンテンツの前記存在場所の情報に基づいて前記コンテンツの再生時間帯に検出する存在検出過程と、前記コンテンツを再生するか否かを利用者に選択させる再生選択過程とを備え、前記コンテンツ再生過程は、前記コンテンツが前記存在場所に存在することが前記存在検出過程によって検出され、前記コンテンツを再生することを利用者が前記再生選択過程によって選択したときに、前記コンテンツの前記存在場所の情報に基づいて前記コンテンツの前記再生時間帯に前記コンテンツを再生することを特徴とする。
【００２０】
上記の装置または方法により、存在場所に存在することが再生時間帯に検出されたコンテンツを利用者の選択に応じて再生するので、予定されていたコンテンツを再生することができ、従来よりスケジュールに近い状態でコンテンツを再生することができる。また、存在場所に存在することが再生時間帯に検出されたコンテンツを利用者の選択に応じて再生時間帯に限って再生するので、存在場所に存在していなかったコンテンツ以外のコンテンツをスケジュール通りに再生することができ、従来よりスケジュールに近い状態でコンテンツを再生することができる。
【００２１】
（６）本発明のコンテンツ再生方法のプログラムは、前記のコンテンツ再生方法における処理手順をコンピュータで実行可能に構成したことを特徴とする。
【００２２】
（７）本発明のコンテンツ再生方法のプログラムを記録した記録媒体は、前記のコンテンツ再生方法における処理手順をコンピュータに実行させるためのプログラムを、該コンピュータが読み取り可能な記録媒体に記録したことを特徴とする。
【００２３】
【発明の実施の形態】
以下、本発明の一実施の形態について、図面を参照して説明する。
【００２４】
まず、本実施の形態に係るコンテンツ再生装置の構成について説明する。図１に示すように、本実施の形態に係るコンテンツ再生装置としての端末２０は、コンテンツを配信するコンテンツ配信システム１０と通信が可能な端末として用意される。そして、コンテンツ配信システム１０は、端末２０と、端末２０に接続された表示部３０と、スケジュール情報を記憶したコンピュータであるサーバ４０と、コンテンツを記憶したコンピュータであるコンテンツホルダ５０とを備えている。ここで、端末２０、サーバ４０及びコンテンツホルダ５０は、インターネット等のネットワーク１１を介して互いに接続されている。
【００２５】
なお、サーバ４０がもつスケジュール情報には、図２に示すように、再生されることが予定されている予定コンテンツに関する再生開始時刻、タイトル、存在場所、再生時間、確認時刻及び連絡先の情報と、予定コンテンツが再生不可能なときに予定コンテンツの代わりに再生される代替コンテンツに関するタイトル、存在場所、再生時間、確認時刻及び連絡先の情報とが含まれている。
【００２６】
また、端末２０は、図１に示すように、ネットワーク１１に接続されたインターフェース２１と、インターフェース２１を介してサーバ４０から受信したスケジュール情報を記憶するスケジュール記憶部２２と、時刻を計測するタイマ２３と、コンテンツを記憶するハードディスク２４と、利用者によって操作されるマウスやキーボード等の操作部２５と、スケジュール記憶部２２によって記憶されたスケジュール情報及びタイマ２３によって計測された時刻に基づいて予定コンテンツが存在場所に存在するか否かをインターフェース２１を介して確認するコンテンツ確認部２６と、予定コンテンツが存在場所に存在しないことがコンテンツ確認部２６によって確認されたときにスケジュール情報に含まれる連絡先に宛てた電子メールを作成してインターフェース２１を介して送信するメール作成部２７と、インターフェース２１を介して取得したコンテンツを表示部３０で再生する再生部２８と、スケジュール記憶部２２によって記憶されたスケジュール情報及びタイマ２３によって計測された時刻に基づいて再生部２８によるコンテンツの再生を制御する再生制御部２９とを有している。
【００２７】
ここで、コンテンツ確認部２６、メール作成部２７、再生部２８及び再生制御部２９は、図示していないＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等の一般的なコンピュータのハードウェア構成要素とソフトウェア構成要素によって構成されている。
【００２８】
なお、操作部２５は、予定コンテンツを再生するか否かを利用者に選択させる再生選択手段を設けている。
【００２９】
また、コンテンツ確認部２６は、予定コンテンツが存在場所に存在するか否かをスケジュール情報に基づいて予定コンテンツの再生開始時刻前や予定コンテンツの再生時間帯に検出する存在検出手段を設けている。
【００３０】
また、メール作成部２７は、予定コンテンツが存在場所に存在しないことがコンテンツ確認部２６によって検出されたときに予定コンテンツが存在場所に存在しないことを外部の装置に電子メールで報知する報知手段を設けている。
【００３１】
また、再生部２８及び再生制御部２９は、スケジュール情報に基づいてコンテンツを再生するコンテンツ再生手段を設けている。ここで、再生部２８及開再生制御部２９は、予定コンテンツが存在場所に存在しないことがコンテンツ確認部２６によって再生開始時刻前に検出されたときに、スケジュール情報に基づいて予定コンテンツの再生時間帯に代替コンテンツを再生するようになっている。また、再生部２８及び再生制御部２９は、予定コンテンツが存在場所に存在することがコンテンツ確認部２６によって再生時間帯に検出され、予定コンテンツを再生することを利用者が操作部２５によって選択したときに、スケジュール情報に基づいてコンテンツの再生時間帯に予定コンテンツを再生するようになっている。
【００３２】
次に、本実施の形態に係るコンテンツ再生装置の動作について説明する。端末２０が、サーバ４０からネットワーク１１及びインターフェース２１を介して受信したスケジュール情報をスケジュール記憶部２２に記憶すると、コンテンツ確認部２６は、図３に示すように、スケジュール記憶部２２によって記憶されたスケジュール情報に含まれる確認時刻と、タイマ２３によって計測された時刻とが一致したときに、スケジュール記憶部２２によって記憶されたスケジュール情報に含まれる存在場所に基づいて予定コンテンツが存在場所に存在するか否かを確認する（ステップＳ６１）。
【００３３】
例えば、コンテンツ確認部２６は、図２に示す予定コンテンツ“Ａ１”について、タイマ２３によって計測された時刻が確認時刻“８：３０”と一致したときに、存在場所“ｗｗｗ．ａ．ｃｏｍ／ａ１．ｍｐｇ”に存在するか否かを、インターフェース２１及びネットワーク１１を介してコンテンツホルダ５０に確認する。また、コンテンツ確認部２６は、図２に示す予定コンテンツ“Ｂ２”について、タイマ２３によって計測された時刻が確認時刻“９：００”と一致したときに、存在場所“Ｃ：／ｃｏｔｅｎｔ／ｂ２．ｍｐｇ”に存在するか否かを、インターフェース２１を介してハードディスク２４に対して確認する。
【００３４】
また、再生制御部２９は、予定コンテンツが存在場所に存在するとステップＳ６１においてコンテンツ確認部２６が確認すると、スケジュール記憶部２２によって記憶されたスケジュール情報に含まれる再生開始時刻と、タイマ２３によって計測された時刻とが一致したときに、スケジュール記憶部２２によって記憶されたスケジュール情報に含まれる存在場所に基づいて再生部２８に予定コンテンツを再生させる（ステップＳ６２）。
【００３５】
例えば、再生制御部２９は、図２に示す予定コンテンツ“Ａ１”について、タイマ２３によって計測された時刻が再生開始時刻“９：００”と一致したときに、存在場所“ｗｗｗ．ａ．ｃｏｍ／ａ１．ｍｐｇ”に基づいて、インターフェース２１及びネットワーク１１を介してコンテンツホルダ５０から再生部２８に取得させて、再生部２８に表示部３０で再生させる。また、再生制御部２９は、図２に示す予定コンテンツ“Ｂ２”について、タイマ２３によって計測された時刻が再生開始時刻“１０：００”と一致したときに、存在場所“Ｃ：／ｃｏｎｔｅｎｔ／ｂ２．ｍｐｇ”に基づいて、インターフェース２１を介してハードディスク２４から再生部２８に取得させて、再生部２８に表示部３０で再生させる。
【００３６】
また、コンテンツ確認部２６は、予定コンテンツが存在場所に存在しないとステップＳ６１において確認すると、予定コンテンツが存在場所に存在しないことをメール作成部２７に通知する。そして、メール作成部２７は、予定コンテンツ．が存在場所に存在しないことがコンテンツ確認部２６によって通知されると、スケジュール記憶部２２によって記憶されたスケジュール情報に含まれる連絡先に宛てた電子メールを作成して連絡先に送信する（ステップＳ６３）。
【００３７】
例えば、メール作成部２７は、図２に示す予定コンテンツ“Ａ１”について、存在場所“ｗｗｗ．ａ．ｃｏｍ／ａ１．ｍｐｇ”に存在しないことがコンテンツ確認部２６によって通知されると、連絡先“ａａａ＠ａａａ．ｃｏ．ｊｐ”に宛てた電子メールを作成し、作成した電子メールをインターフェース２１及びネットワーク１１を介してコンテンツホルダ５０に送信する。したがって、コンテンツホルダ５０を使用して予定コンテンツ“Ａ１”を配信する配信者、或いは、コンテンツホルダ５０自身は、端末２０のメール作成部２７からの電子メールを受信することによって、予定コンテンツ“Ａ１”を存在場所“ｗｗｗ．ａ．ｃｏｍ／ａ１．ｍｐｇ”に準備することができる。
【００３８】
また、メール作成部２７は、図２に示す予定コンテンツ“Ｂ２”について、存在場所“Ｃ：／ｃｏｎｔｅｎｔ／ｂ２．ｍｐｇ”に存在しないことがコンテンツ確認部２６によって通知されると、連絡先“ｂｂｂ＠ｂｂｂ．ｃｏ．ｊｐ”に宛てた電子メールを作成し、作成した電子メールをインターフェース２１及びネットワーク１１を介して外部の図示していない装置に送信する。したがって、端末２０を使用して予定コンテンツ“Ｂ２”を配信する配信者である端末２０の利用者は、端末２０のメール作成部２７からの電子メールを図示していない装置で受信することによって、予定コンテンツ“Ｂ２”を端末２０のハードディスク２４内の存在場所“Ｃ：／ｃｏｎｔｅｎｔ／ｂ２．ｍｐｇ”に準備することができる。
【００３９】
次いで、再生制御部２９は、スケジュール記憶部２２によって記憶されたスケジュール情報に含まれる再生開始時刻と、タイマ２３によって計測された時刻とが一致したときに、スケジュール記億部２２によって記憶されたスケジュール情報に含まれる存在場所に基づいて再生部２８に代替コンテンツを再生させる（ステップＳ６４）。
【００４０】
例えば、再生制御部２９は、図２に示す予定コンテンツ“Ａ１”が存在場所“ｗｗｗ．ａ．ｃｏｍ／ａ１．ｍｐｇ”に存在しないとステップＳ６１においてコンテンツ確認部２６によって確認されている場合、タイマ２３によって計測された時刻が予定コンテンツ“Ａ１”の再生開始時刻“９：００”と一致したときに、予定コンテンツ“Ａ１”の代りに、予定コンテンツ“Ａ１”と同じ再生時間“１５分”である代替コンテンツ“Ｘ１”を再生部２８に再生させる。
【００４１】
次いで、コンテンツ確認部２６は、予定コンテンツの再生時間帯の所定時刻に、スケジュール記憶部２２によって記憶されたスケジュール情報に含まれる存在場所に基づいて予定コンテンツが存在場所に存在するか否かを確認する（ステップＳ６５）。
【００４２】
例えば、コンテンツ確認部２６は、図２に示す予定コンテンツ“Ａ１”について、再生時間帯である“９：００”から“９：１５”までの間の所定時刻に、存在場所“ｗｗｗ．ａ．ｃｏｍ／ａ１．ｍｐｇ”に存在するか否かを確認する。なお、所定時刻は、例えば、スケジュール情報に含まれていても良いし、利用者によって端末２０で指定されても良いし、その他の方法によって設定されても良い。
【００４３】
そして、コンテンツ確認部２６は、予定コンテンツが存在場所に存在しないとステップＳ６５において確認すると、再生制御部２９にそのまま代替コンテンツを再生させ続け、予定コンテンツが存在場所に存在するとステップＳ６５において確認すると、予定コンテンツが存在場所に存在することを表示部３０に表示させ（ステップＳ６６）、代替コンテンツに代えて予定コンテンツを再生するか否かを操作部２５によって利用者に選択させる（ステップＳ６７）。
【００４４】
再生制御部２９は、代替コンテンツに代えて予定コンテンツを再生しないことがステップＳ６７において選択されると、そのまま代替コンテンツを再生し続け、代替コンテンツに代えて予定コンテンツを再生することがステップＳ６７において選択されると、スケジュール記憶部２２によって記憶されたスケジュール情報に含まれる存在場所に基づいて再生部２８に予定コンテンツを再生させる（ステ
ップＳ６８）。
【００４５】
なお、端末２０は、再生開始時刻から予定コンテンツを再生する場合と同様に、代替コンテンツを再生している場合や、再生時間帯の途中から予定コンテンツを再生している場合にも、次の予定コンテンツの再生開始時刻になれば、次の予定コンテンツについてステップＳ６２又はステップＳ６４の処理を行う。
【００４６】
以上に説明したように、端末２０は、予定コンテンツが存在場所に存在しないことを予定コンテンツの再生開始時刻前に報知するので、スケジュールの変更の機会や存在場所への予定コンテンツの準備の機会を予定コンテンツの再生開始時刻前に提供することができ、従来よりスケジュールに近い状態でコンテンツを再生することができる。
【００４７】
また、端末２０は、予定コンテンツが存在場所に存在しないことを外部の装置に報知するので、予定コンテンツを配信している装置や予定コンテンツの配信者に存在場所への予定コンテンツの準備の機会を提供することができる。
【００４８】
また、端末２０は、予定コンテンツが存在場所に存在しないときに予定コンテンツの再生時間帯に限って代替コンテンツを再生するので、存在場所に存在していなかった予定コンテンツ以外の予定コンテンツをスケジュール通りに再生することができ、従来よりスケジュールに近い状態でコンテンツを再生することができる。
【００４９】
また、端末２０は、存在場所に存在することが再生時間帯に検出された予定コンテンツを利用者の選択に応じて再生するので、予定されていたコンテンツを再生することができ、従来よりスケジュールに近い状態でコンテンツを再生することができる。
【００５０】
また、端末２０は、存在場所に存在することが再生時間帯に検出された予定コンテンツを利用者の選択に応じて再生時間帯に限って再生するので、存在場所に存在していなかった予定コンテンツ以外の予定コンテンツをスケジュール通りに再生することができ、従来よりスケジュールに近い状態でコンテンツを再生することができる。
【００５１】
なお、再生制御部２９は、本実施の形態において、予定コンテンツと同じ再生時問である代替コンテンツを再生するようになっているが、再生時間以外の情報に基づいて代替コンテンツを再生するようにしても良い。例えば、スケジュール情報にコンテンツのジャンルが登録されている場合、再生制御部２９は、予定コンテンツと同様なジャンルの代替コンテンツを再生するようにしても良い。また、再生制御部２９は、スケジュール情報に含まれる複数の代替コンテンツから無作為に選択した代替コンテンツを再生するようにしても良い。
【００５２】
また、コンテンツ確認部２６は、本実施の形態において、予定コンテンツの再生時間帯に１回だけステップＳ６５の処理を行うようになっているが、予定コンテンツの再生時間帯に複数回ステップＳ６５の処理を行うようにしても良い。例えば、コンテンツ確認部２６は、予定コンテンツの再生時間帯において所定の時間間隔で複数回ステップＳ６５の処理を行うようにしても良い。
【００５３】
また、端末２０は、本実施の形態において、サーバ４０から受信したスケジュール情報に基づいて動作するようになっているが、サーバ４０から受信したスケジュール情報以外のスケジュール情報に基づいて動作するようにしても良い。例えば、端末２０は、端末２０自身で作成したスケジュール情報に基づいて動作するようにしても良い。
【００５４】
また、端末２０は、予定コンテンツが存在場所に存在するとステップＳ６５において確認すると、本実施の形態において、ステップＳ６６及びステップＳ６７の処理を行うようになっているが、ステップＳ６６及びステップＳ６７の処理を行うことなく、直接ステップＳ６８の処理を行うようにしても良い。
【００５５】
また、報知手段は、本実施の形態において、予定コンテンツが存在場所に存在しないことを電子メールで報知するようになっているが、電子メールで報知する方法以外の方法で報知するようにしても良い。例えば、報知手段は、端末２０の図示していないスピーカからの音によって端末２０の利用者に報知するようにしても良いし、端末２０の表示部３０による表示で端末２０の利用者に報知するようにしても良い。
【００５６】
なお、本発明は、図３に示した方法の一部又は全部の処理機能をプログラムとして構成してコンピュータに実行させることができる。また、コンピュータでその各部の処理機能を実現するためのプログラム、あるいはコンピュータにその処理手順を実行させるためのプログラムを、そのコンピュータが読み取り可能な記録媒体、例えば、フレキシブルディスク、ＭＯ、ＲＯＭ、メモリカード、ＣＤ、ＤＶＤ、リムーバブルディスクなどに記録して、保存したり、提供したりすることが可能であり、また、インターネットのような通信ネットワークを介して配布したりすることが可能である。
【００５７】
【発明の効果】
以上に説明したように、本発明によれば、以下の効果がある。
【００５８】
（１）コンテンツが存在場所に存在しないことをコンテンツの再生開始時刻前に報知するので、スケジュールの変更の機会や存在場所へのコンテンツの準備の機会をコンテンツの再生開始時刻前に提供することができ、従来よりスケジュールに近い状態でコンテンツを再生することができる。
【００５９】
（２）コンテンツが存在場所に存在しないことを外部の装置に報知するので、コンテンツを配信している装置やコンテンツの配信者に存在場所へのコンテンツの準備の機会を提供することができる。
【００６０】
（３）コンテンツが存在場所に存在しないときにコンテンツの再生時間帯に限って代替コンテンツを再生するので、存在場所に存在していなかったコンテンツ以外のコンテンツをスケジュール通りに再生することができ、従来よりスケジュールに近い状態でコンテンツを再生することができる。
【００６１】
（４）存在場所に存在することが再生時間帯に検出されたコンテンツを再生するので、予定されていたコンテンツを再生することができ、従来よりスケジュールに近い状態でコンテンツを再生することができる。また、存在場所に存在することが再生時間帯に検出されたコンテンツを再生時間帯に限って再生するので、存在場所に存在していなかったコンテンツ以外のコンテンツをスケジュール通りに再生することができ、従来よりスケジュールに近い状態でコンテンツを再生することができる。
【００６２】
（５）存在場所に存在することが再生時間帯に検出されたコンテンツを利用者の選択に応じて再生するので、予定されていたコンテンツを再生することができ、従来よりスケジュールに近い状態でコンテンツを再生することができる。また、存在場所に存在することが再生時間帯に検出されたコンテンツを利用者の選択に応じて再生時間帯に限って再生するので、存在場所に存在していなかったコンテンツ以外のコンテンツをスケジュール通りに再生することができ、従来よりスケジュールに近い状態でコンテンツを再生することができる。
【図面の簡単な説明】
【図１】本発明の実施形態に係るコンテンツ配信システムのブロック図。
【図２】図１に示すコンテンツ配信システムにおいて使用されるスケジュール情報の一例を示す図。
【図３】図１に示すコンテンツ配信システムの端末の処理フローチャート。
【符号の説明】
２０…端末（コンテンツ再生装置）
２１…インタフェース
２２…スケジュール記憶部
２３…タイマ
２４…ハードディスク
２５…操作部（再生選択手段）
２６…コンテンツ確認部（存在検出手段）
２７…メール作成部（報知手段）
２８…再生部（コンテンツ再生手段）
２９…再生制御部（コンテンツ再生手段）
【図１】
2004334726.tif 000003
【図２】
2004334726.tif 000004
【図３】
2004334726.tif 000005